(57)【特許請求の範囲】
【請求項１】
膨張可能な膨張袋を有し、血圧測定に際して生体の一部を圧迫するためにその生体の一部に装着される血圧測定用圧迫帯であって、
前記膨張袋が周方向の一部に設けられ、且つ該膨張袋とは異なる位置に厚み方向に貫通する窓口が設けられた無端環状の可撓性帯状基材と、
該可撓性帯状基材の外周面および内周面にそれぞれ設けられ、前記無端環状の可撓性帯状基材を小径とするために前記窓口を通して相互に着脱可能に接続される一対のファスナ部材と
を、含むことを特徴とする血圧測定用圧迫帯。
【請求項２】
前記一対のファスナ部材のうちの一方は、前記無端環状の可撓性帯状基材の外周面のうちの前記膨張袋が設けられた位置に設けられ、他方は前記無端環状の可撓性帯状基材の内周面のうち前記窓口と前記膨張袋との間の位置に設けられたものである請求項１の血圧測定用圧迫帯。
【請求項３】
前記窓口はＵ字状切欠きにより形成され、該窓口の前記他方のファスナ部材側の１辺から伸びるベロ部の内周面には、前記一方のファスナ部材に着脱可能に接着するためのファスナ部材が設けられたものである請求項１または２の血圧測定用圧迫帯。
【請求項４】
前記ファスナ部材は、相互に着脱可能に接着する面状の接着面を備えた可撓性シート状ファスナである請求項１乃至３のいずれかの血圧測定用圧迫帯。
【請求項５】
膨張可能な膨張袋を有し、血圧測定に際して生体の一部を圧迫するためにその生体の一部に装着される血圧測定用圧迫帯であって、
前記膨張袋が周方向の一部に設けられ、且つ該膨張袋とは異なる位置にＵ字状切欠きにより形成され厚み方向に貫通する窓口が設けられた無端環状の可撓性帯状基材と、
該可撓性帯状基材の外周面と、前記窓口の周方向側の１辺から伸びるベロ部の内周面または外周面とにそれぞれ設けられ、前記無端環状の可撓性帯状基材を小径とするために相互に着脱可能に接続される一対のファスナ部材と
を、含むことを特徴とする血圧測定用圧迫帯。
【発明の詳細な説明】
【０００１】
【産業上の利用分野】
本発明は、血圧測定に際して生体の一部を圧迫するために円筒状に装着される血圧測定用圧迫帯に関するものである。
【０００２】
【従来の技術】
膨張可能な膨張袋を備え、血圧測定に際して生体の一部を圧迫するためにその生体の一部たとえば上腕部、足首部などの外周において円筒状に装着される血圧測定用圧迫帯が知られている。このような圧迫帯では、たとえば２つ折りに構成されたナイロン樹脂布製の帯状基材内にホースに接続された膨張袋が収容されることにより構成されるか、或いは２つ折りに構成されたビニール樹脂シート製の帯状基材内の一部に高周波溶着によって気密な膨張袋が一体的に設けられることにより長手状或いは帯状に構成される。たとえば特許文献１乃至３に記載された血圧測定用圧迫帯がそれである。そして、このように構成された血圧測定用圧迫帯の膨張袋は、たとえば生体の上腕に巻回された状態でそれに接続されたホースを通して圧力気体が供給されることにより膨張させられた後、或いはその前において、圧迫圧力が徐々に変化させられる過程で心拍同期に同期して発生する脈波信号の大きさの変化に基づいて血圧決定が行われる。
【０００３】
【特許文献１】
実開昭６１−１３０２０３号公報
【特許文献２】
実開昭６２−１７０００２号公報
【特許文献３】
実開昭６３−０５６００４号公報
【０００４】
【発明が解決しようとする課題】
ところで、血圧測定に際して上記圧迫帯を生体の一部たとえば患者の上腕や足首に巻回するに際して、長手状の圧迫帯の一端部をその患者の上腕や足首の下側或いは裏側にその一方から他方へ通し、その一端部の内周面に設けられた一方のファスナ部材を他端部付近の外周面に設けられた他方のファスナ部材に接着させたり、或いは、その一端部の内周面に設けられた一方のファスナ部材を他端部のリングに通して折り返し、その一端部の外周面に設けられた他のファスナ部材に接着させることにより、圧迫帯が生体の一部に装着された状態とされる。しかしながら、このように構成された血圧測定用圧迫帯によれば、その装着に際して、圧迫帯の一端部を上腕や足首の下側或いは裏側にその一方から他方へ通すという面倒な作業を必要とするので、装着作業が煩雑であった。
【０００５】
本発明は以上の事情を背景として為されたものであって、その目的とするところは、生体の一部への装着作業が容易な血圧測定用圧迫帯を提供することにある。
【０００６】
【課題を解決するための第１の手段】
上記目的を達成するための本発明の要旨とするところは、膨張可能な膨張袋を有し、血圧測定に際して生体の一部を圧迫するためにその生体の一部に装着される血圧測定用圧迫帯であって、(a) 前記膨張袋が周方向の一部に設けられ、且つ該膨張袋とは異なる位置に厚み方向に貫通する窓口が設けられた無端環状の可撓性帯状基材と、(b) その可撓性帯状基材の外周面および内周面にそれぞれ設けられ、前記無端環状の可撓性帯状基材を小径とするために前記窓口を通して相互に着脱可能に接続される一対のファスナ部材とを、含むことにある。
【０００７】
【第１発明の効果】
このようにすれば、血圧測定用圧迫帯を構成する基本的部材である可撓性帯状基材は無端環状に構成されており、その可撓性帯状基材の外周面および内周面の２位置にそれぞれ設けられた一対のファスナ部材が無端環状の可撓性帯状基材の一部に設けられた窓口を通して相互に着脱可能に接続されることによりその無端環状の可撓性帯状基材が小径とされて装着されることから、長手状の可撓性帯状基材の一端部を腕や足首の裏側へ回す作業が不要となるので、装着が簡単かつ容易となる。また、可撓性帯状基材の張力がファスナ部材の面方向に作用するので、高い接続強度が得られる。
【０００８】
【第１発明の他の態様】
ここで、好適には、前記一対のファスナ部材のうちの一方は、前記無端環状の可撓性帯状基材の外周面のうちの前記膨張袋が設けられた位置に設けられ、他方は前記無端環状の可撓性帯状基材の内周面のうち前記窓口と前記膨張袋との間の位置に設けられたものである。このようにすれば、一対のファスナ部材が無端環状の可撓性帯状基材の一部に設けられた窓口を通して相互に着脱可能に好適に接続される。
【０００９】
また、好適には、前記窓口はＵ字状切欠きにより形成され、その窓口の前記他方のファスナ部材側の１辺から伸びるベロ部の内周面には、前記一方のファスナ部材に着脱可能に接着するためのファスナ部材が設けられたものである。このようにすれば、生体の一部が大径であっても容易に血圧測定用圧迫帯を装着できる。
【００１０】
また、好適には、上記一対のファスナ部材は、相互に着脱可能に接着する面状の接着面を備えた可撓性シート状ファスナである。このようにすれば、血圧測定用圧迫帯の取り扱いや装着作業が一層容易となる。
【００１１】
【課題を解決するための第２の手段】
また、前記課題を解決するための第２発明の要旨とするところは、膨張可能な膨張袋を有し、血圧測定に際して生体の一部を圧迫するためにその生体の一部に装着される血圧測定用圧迫帯であって、(a) 前記膨張袋が周方向の一部に設けられ、且つ該膨張袋とは異なる位置にＵ字状切欠きにより形成され厚み方向に貫通する窓口が設けられた無端環状の可撓性帯状基材と、(b) その可撓性帯状基材の外周面と、前記窓口の周方向側の１辺から伸びるベロ部の内周面または外周面とにそれぞれ設けられ、前記無端環状の可撓性帯状基材を小径とするために相互に着脱可能に接続される一対のファスナ部材とを、含むことにある。
【００１２】
【第２発明の効果】
このようにすれば、血圧測定用圧迫帯を構成する基本的部材である可撓性帯状基材は無端環状に構成されており、その可撓性帯状基材の外周面と、Ｕ字状切欠きにより厚み方向に貫通して形成され窓口の周方向側の１辺から伸びるベロ部の内周面または外周面とにそれぞれ設けられた一対のファスナ部材が無端環状の可撓性帯状基材の一部に設けられた窓口を通して相互に着脱可能に接続されることによりその無端環状の可撓性帯状基材が小径とされて装着されることから、長手状の可撓性帯状基材の一端部を腕や足首の裏側へ回す作業が不要となるので、装着が簡単かつ容易となる。また、可撓性帯状基材の張力がファスナ部材の面方向に作用するので、高い接続強度が得られる。
【００１３】
【発明の好適な実施の形態】
以下、本発明の一実施例を図面に基づいて詳細に説明する。
【００１４】
図１は、本発明の一実施例の血圧測定用圧迫帯１０を備えた血圧測定装置１２の構成を示している。図において、圧迫帯１０の膨張袋１４には、圧力センサ１６および排気制御弁１８が接続されているとともに、切換弁２０を介して空気ポンプ２２が接続されている。上記圧力センサ１６は、膨張袋１４内の圧力を検出し、その圧力を表す圧力信号ＳＰを出力する。上記排気制御弁１８は、圧迫圧制御手段として機能するものであって、その流通断面積を制御することにより膨張袋１４内の空気を徐速排気或いは急速排気させるものである。上記切換弁２０は、袋部収縮手段として機能するために圧迫側位置と吸引側位置とに切り換えられる電磁式切換弁であって、その圧迫側位置では圧迫帯１０の膨張袋１４を空気ポンプ２２の吐出口に連通させ且つ空気ポンプ２２の吸入口を大気に連通させるが、吸引側位置では圧迫帯１０の膨張袋１４を空気ポンプ２２の吸入口に連通させ且つ空気ポンプ２２の吐出口を大気に連通させる。
【００１５】
ローパスフィルタ２４は、圧力センサ１６から出力される圧力信号ＳＰのうち、圧迫帯１０の圧迫圧を表すカフ圧信号ＳＫを弁別して出力し、Ａ／Ｄ変換器２６を介してＣＰＵ３０へ供給する。また、バンドパスフィルタ２８は、圧力センサ１６から出力される圧力信号ＳＰのうち、心拍に同期して発生する圧力振動である脈波信号ＳＭを弁別して出力し、Ａ／Ｄ変換器２６を介してＣＰＵ３０へ供給する。
【００１６】
上記ＣＰＵ３０は、ＲＯＭ３２、ＲＡＭ３４、インターフェース３６などと共にマイクロコンピュータ、すなわち血圧値決定手段として機能する演算制御回路３７を構成するものであって、ＲＡＭ３４の記憶機能を利用しつつ予めＲＯＭ３２に記憶されたプログラムに従って入力信号を処理し、オシロメトリック式アルゴリズムに従って血圧決定し、表示器３８にその血圧値を表示させるとともに、前記排気制御弁１８、切換弁２０、および空気ポンプ２２を制御する。上記ＣＰＵ３０には、起動押釦スイッチ４０からの起動信号ＭＳ、停止押釦スイッチ４２からの停止信号ＭＴ、起動信号発生器４４からの起動信号ＣＳが供給されるようになっており、起動押釦スイッチ４０および起動信号発生器４４は、マニアル／オート切換スイッチ４６によって択一的に有効化されるようになっている。起動信号発生器４４は、たとえばよく知られたフリップフロップ回路などを備えており、図示しない設定器によって数分乃至数十分程度の予め設定された周期にしたがって起動信号ＣＳを繰り返し発生するように構成されている。
【００１７】
上記ＣＰＵ３０は、上記起動信号ＣＳが供給されると、圧迫帯１０の圧迫圧力を予め最高血圧値よりも高く設定された昇圧目標値まで急速に昇圧させ、その後徐速降圧させる過程で得られる脈波振幅の変化に基づいてオシロメトリック法により血圧値を決定する。また、ＣＰＵ３０は、血圧測定開始時における圧迫帯１０への圧力気体の供給に際して、その圧迫帯１０の圧力として検出される圧力上昇速度が予め設定されたエラー判定値よりも大きい場合、すなわち上記急速昇圧の速度よりも大きい場合には、異常であると判定して血圧測定を中止させる。
【００１８】
図２は上記圧迫帯１０を示す斜視図、図３はその端面図、図４は圧迫帯１０の一部を切断して平面に展開した状態における外周面を示す図、図５は圧迫帯１０の一部を切断して平面に展開した状態における内周面を示す図である。それら図２乃至図５に示すように、本実施例の圧迫帯１０は、合成繊維で編まれた織布、合成樹脂シートたとえば軟質塩化ビニールシート、ナイロンシートなどの可撓性を備えた帯状且つ無端環状の外周側シート部材５０に、同様の形状の内周側シート部材５２がそれらの端縁部において縫製、装着剤、或いは高周波溶着などの手法によって接合されることにより長手状且つ袋状に構成されている。上記外周側シート部材５０および内周側シート部材５２が袋状を成す可撓性の帯状基材６４を構成している。この帯状基材６４は、それが装着される腕或いは足首などの生体の一部の径よりも十分に大きい径、すなわちその生体の一部の周長よりも十分に大きい周長と、厚み方向に貫通する矩形の窓口（開口）４８とを備えている。
【００１９】
上記圧迫帯１０内すなわち外周側シート部材５０および内周側シート部材５２から成る帯状基材６４内には、その周長の略半分或いはそれ以下の長さの矩形状の膨張袋１４が設けられている。また、圧迫帯１０の外周面の膨張袋１４に相当する位置と、圧迫帯１０の内周面の膨張袋１４から所定距離離隔した位置とには、表面に植設された多数のループ状繊維とそれに係合するように表面に植設された弾性変形可能な合成樹脂製の多数の鉤状突起との係合によって着脱可能に接着する形式の面状ファスナを構成する一対のファスナ部材５４および５６がそれぞれ固設されている。すなわち、一対のファスナ部材５４および５６は、可撓性シート状を成し、相互に着脱可能に接着する面状接着面を外向きに備えている。上記ファスナ部材５６は、帯状基材６４の外周面においてファスナ部材５４よりも所定距離離隔させられており、帯状基材６４の膨張袋１４の長手方向の中央を通る中心線Ｃに対して非巻付け方向側に偏在させられており、無端環状の可撓性帯状基材６４の内周面のうち窓口４８と膨張袋１４との間の位置に設けられている。上記窓口４８は上記中心線Ｃに対してファスナ部材５６の対称位置にあって、そのファスナ部材５６が窓口４８を通してファスナ部材５４と接着するようにそのファスナ部材５６の接着面よりも十分に大きな面積で設けられている。
【００２０】
上記膨張袋１４は、塩化ビニールシート、天然或いは合成のゴムシートなどの比較的軟質の可撓性部材或いは弾性部材により気密に構成されており、その膨張袋１４内にポンプ２２からの圧力気体を供給する、可撓性のホース６０が、その膨張袋１４の幅方向の側縁に接続されている。このホース６０は、天然ゴム、合成ゴムなどの弾性材料から構成された弾性管であって、生体の皮膚との接触を考慮して比較的ゴム硬度の低い材質が選択されている。このホース６０は、コネクタ６２を介して血圧測定装置１２と接続されている。そのホース６０の膨張袋１４とは反対側の一端部内に、コネクタ６２から一体的に突設された筒状のニップルが圧入によって嵌め入れられることにより、ホース６０とコネクタ６２とが気密な状態で相互に連結されている。
【００２１】
以上のように構成された圧迫帯１０は、その内周側に足或いは腕などの生体の一部５８の先端が挿し通された後、図６に示すように所定の装着位置まで移動させられる。次いで、無端環状の帯状基材６４のうちの膨張袋１４から近い部分を生体の一部５８に密着させつつ、残りの部分すなわち膨張袋１４から遠い部分を相互に重ね、図７に示すようにそれをファスナ部材５６側すなわち巻き着け側へ倒し、図８に示すようにファスナ部材５６の接着面を窓口４８を通してファスナ部材５４の接着面に接着し、上記帯状基材６４の外周面うちの膨張袋１４から遠い部分を帯状基材６４のうちの膨張袋１４側の外周面に接続する。これにより、無端環状の圧迫帯１０はその巻付（装着）前の径よりも小径の円筒状の装着状態とされて、生体の一部５８の外周面に装着される。
【００２２】
上述のように、本実施例の血圧測定用圧迫帯１０によれば、それを構成する基本的部材である可撓性帯状基材６４は無端環状に構成されており、その可撓性帯状基材６４の外周面の２位置にそれぞれ設けられた一対のファスナ部材５４、５６が窓口４８を通して相互に着脱可能に接着されることによりその無端環状の可撓性帯状基材６４が小径とされて装着されることから、従来のように長手状の可撓性帯状基材の一端部を腕や足首の裏側へ回す作業が不要となるので、生体の一部５８への装着が簡単かつ容易となる。
【００２３】
また、本実施例によれば、帯状基材６４の内周面に設けられたファスナ部材５６の接着面が窓口４８を通して帯状基材６４の外周面に設けられたファスナ部材５４の接着面に接着させられるので、帯状基材６４の張力は一対のファスナ部材５４および５６の面方向に作用するので、高い接着力が得られる。
【００２４】
また、本実施例によれば、一対のファスナ部材５４および５６のうちの一方のファスナ部材５４は、無端環状の可撓性帯状基材６４の外周面のうちの膨張袋１４が設けられた位置に設けられ、他方のファスナ部材５６は無端環状の可撓性帯状基材６４の内周面のうち窓口４８と膨張袋１４との間の位置に設けられたものであるので、一対のファスナ部材５４および５６が無端環状の可撓性帯状基材６４の一部に設けられた窓口４８を通して相互に着脱可能に好適に接続される。
【００２５】
また、本実施例の一対のファスナ部材５４、５６は、相互に着脱可能に接着する面状の接着面を備えた可撓性シート状ファスナであるので、血圧測定用圧迫帯１０の取り扱いや装着作業が一層容易となる。
【００２６】
次に、本発明の他の実施例を説明する。なお、以下の説明において前述の実施例と共通する部分には同一の符号を付して説明を省略する。
【００２７】
図９は、本発明の他の実施例の血圧測定用圧迫帯７０の構成を説明する斜視図である。図９において、血圧測定用圧迫帯７０の帯状基材６４は、Ｕ字状の切欠きが形成されることによって窓口４８が形成されており、その窓口４８の周方向の一辺から延びる帯状基材６４の一部であるベロ部７２の内周面にも、ファスナ部材５６と同様のファスナ部材７４が設けられている。生体の一部５８が大径である場合にはこのファスナ部材７４がファスナ部材５４に着脱可能に接着されるので、適用径の範囲が拡大される利点がある。
【００２８】
以上、本発明の一実施例を図面に基づいて説明したが、本発明はその他の態様においても適用される。
【００２９】
たとえば、前述の実施例の圧迫帯１０は、足首だけでなく、膝上部、大腿部、上腕、手首などの他の部位の生体の一部５８に対して装着されるものであってもよい。
【００３０】
また、前述の実施例において、一対のファスナ部材５４、５６は、可撓性シート状ファスナから構成されるだけでなく、ジッパ、連結金具、ベルト連結具などの種々のものが用いられる。要するに、一対のファスナ部材５４、５６は、帯状基材６４の外周面うちの膨張袋１４から遠い部分を帯状基材６４のうちの膨張袋１４側の外周面に着脱可能に接続するものであればよい。
【００３１】
また、前述の実施例の圧迫帯１０に備えられた膨張袋１４は、大小重ねられた複数の袋から構成されたものであってもよい。
【００３２】
また、前述の実施例の圧迫帯１０は、直線的に伸びる長手状であったが、上腕部、大腿部、足首などに装着されるために、必要に応じて、全体として湾曲した長手状とされたものであっても差し支えない。
【００３３】
また、前述の実施例において、帯状基材６４を厚み方向に貫通する状態で設けられた窓口４８は、ファスナ部材５６よりも大きい面積で形成されていたが、必ずしも大きい面積でなくてもよく、ファスナ部材５６よりも小さい面積で形成されてもよい。また、その窓口４８は、一対の開口などの複数の開口から構成されてもよい。
【００３４】
また、前述の図９の実施例において、たとえば大径の生体の一部５８に対して専用される場合には、圧迫帯７０のファスナ部材５６が除去されても差し支えないし、ベロ部７２は、矩形の窓口４８の巻着け方向とは反対側の１辺から延び出たものであったが、巻着け方向側の１辺から延び出たものであってもよい。この場合には、ベロ部７２の外周面にファスナ部材７４が設けられる。このように構成された圧迫帯７０であっても、可撓性帯状基材６４は無端環状に構成されており、その可撓性帯状基材６４の外周面の２位置にそれぞれ設けられた一対のファスナ部材５４、５６が相互に着脱可能に接着されることによりその無端環状の可撓性帯状基材６４が小径とされて装着されることから、従来のように長手状の可撓性帯状基材の一端部を腕や足首の裏側へ回す作業が不要となるので、生体の一部５８への装着が簡単かつ容易となる。
【００３５】
その他、一々列挙はしないが、本発明はその趣旨を逸脱しない範囲において種々変更が加えられ得るものである。
【図面の簡単な説明】
【図１】本発明の一実施例の圧迫帯が接続された血圧測定装置の構成を説明するブロック線図である。
【図２】図１の圧迫帯の構成を説明する斜視図である。
【図３】図１の圧迫帯の構成を説明するためのその端面から見た図である。
【図４】図１の圧迫帯の一部を切断して平面に展開した状態における外周面を示す図である。
【図５】図１の圧迫帯の一部を切断して平面に展開した状態における内周面を示す図である。
【図６】図１の圧迫帯の装着過程を示す図であって、生体の一部の先端が挿し通されてその位置へ移動させられた状態を示す図である。
【図７】図１の圧迫帯の装着過程を示す図であって、無端環状の基体の一部が相互重ねられて一方の外周面に向かって倒される状態を示す図である。
【図８】図１の圧迫帯の装着過程を示す図であって、無端環状の基体の一部が重ねられて一方の外周面に向かって倒され、一対のファスナ部材が相互に接着させられた状態を示す図である。
【図９】本発明の他の実施例の血圧測定用圧迫帯の構成を説明する斜視図である。
【符号の説明】
１０、７０：血圧測定用圧迫帯
１４：膨張袋
５４、５６、７４：ファスナ部材
４８：窓口
６４：無端環状の可撓性帯状基材
７２：ベロ部
【図１】
0003692121.tif 000002
【図２】
0003692121.tif 000003
【図３】
0003692121.tif 000004
【図４】
0003692121.tif 000005
【図５】
0003692121.tif 000006
【図６】
0003692121.tif 000007
【図７】
0003692121.tif 000008
【図８】
0003692121.tif 000009
【図９】
0003692121.tif 000010